【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
互いに交差する上下方向と横方向と前後方向とを有していて頂面部に収納物品の取出口が形成された容器部と、前記容器部に旋回可能に取り付けられていて前記取出口を開閉する蓋部とを有する収納容器であって、
前記取出口を閉じた状態にあるときの前記蓋部は、前記容器部の後方部分において前記横方向へ延びる後方周縁部が形成されていて前記取出口を覆う被覆部と、前記被覆部から前記下方かつ前記後方に向かって延びるアームとを有していて、前記アームが前記容器部の前記後方部分を形成している後方周壁部の内側にまで延びており、前記後方周壁部の前記内側にまで延びた前記アームの先端部からは前記横方向の両側それぞれに旋回軸が延出し、
前記旋回軸は、前記被覆部の前記後方周縁部の前記下方に位置し、前記アームにつながる基端部の反対端部である先端部が前記容器部における軸受部に回転可能に進入していることを特徴とする収納容器。
【請求項２】
前記蓋部が前記取出口を閉じた状態にあるときに、前記アームは前記被覆部から前記下方へ延びる垂下部と、該垂下部の下端から前記後方へ延びる連結部とを有し、前記連結部からは前記旋回軸が延出しており、前記蓋部が開く方向へ旋回すると、前記連結部が前記容器部の前記後方周壁部に前記後方周壁部の前記前方から当接して前記蓋部が停止する請求項１記載の収納容器。
【請求項３】
前記蓋部が開いた状態にあるときに、前記蓋部の前記後方周縁部が前記容器部の前記後方周壁部の前記後方に位置している請求項２記載の収納容器。
【請求項４】
前記容器部は、前記軸受部が形成されていて前記アームと対向する壁面部を有し、前記蓋部は、前記開く方向へ付勢されていて、前記開く方向へ旋回すると、前記壁面部と前記アームとが係合して前記蓋部の旋回する速度が抑制される請求項１−３のいずれかに記載の収納容器。
【請求項５】
前記容器部では前記横方向において前記壁面部どうしが対向し、前記容器部の前記前方から前記後方へ向かう方向において、前記壁面部どうしの間隔が次第に小さくなるように前記壁面部が傾斜し、前記蓋部が前記開く方向へ旋回すると、傾斜した前記壁面部に前記アームが摺動することで、前記壁面部と前記アームとが係合する請求項４記載の収納容器。
【手続補正２】
【補正対象書類名】明細書
【補正対象項目名】０００８
【補正方法】変更
【補正の内容】
【０００８】
本発明に係る収納容器は、前記取出口を閉じた状態にあるときの前記蓋部は、前記容器部の後方部分において前記横方向へ延びる後方周縁部が形成されていて前記取出口を覆う被覆部と、前記被覆部から前記下方かつ前記後方に向かって延びるアームとを有していて、前記アームが前記容器部の前記後方部分を形成している後方周壁部の内側にまで延びており、前記後方周壁部の前記内側にまで延びた前記アームの先端部からは前記横方向の両側それぞれに旋回軸が延出し、前記旋回軸は、前記被覆部の前記後方周縁部の前記下方に位置し、前記アームにつながる基端部の反対端部である先端部が前記容器部における軸受部に回転可能に進入している。
【手続補正３】
【補正対象書類名】明細書
【補正対象項目名】００１０
【補正方法】変更
【補正の内容】
【００１０】
図面は、本発明の特定の実施の形態を示し、発明の不可欠な構成ばかりでなく、選択的及び好ましい実施の形態を含む。
【図１】本発明に係る収納容器の斜視図。
【図２】収納容器の背面図。
【図３】図１のＩＩＩ−ＩＩＩ線断面図。
【図４】図１のＩＶ−ＩＶ線断面図。
【図５】ラッチの一連の動きを示す図４のＶ−Ｖ線矢視図。
【図６】図４において一点鎖線ＶＩで囲んだ部分の一部拡大図。
【図７】図６のＶＩＩ−ＶＩＩ線矢視図。
【手続補正４】
【補正対象書類名】明細書
【補正対象項目名】００１４
【補正方法】変更
【補正の内容】
【００１４】
図２は、収納容器１０の背面図である。その図２には、容器部１１の後方周壁部１６ｃと、蓋部１２の後方部分３５とが見えている。後方周壁部１６ｃでは、嵌合凹部１５における内側輪郭線１５ａと外側輪郭線１５ｂとが見えている。蓋部１２の後方部分３５では、横方向Ｂへ水平に延びる後方周縁部３６ｂと、上下方向Ａへ弧を画いて延びる前方周縁部３６ａとが見えている。蓋部１２の横方向Ｂにおける中央部には、後記するばね部材４０の一部分が見えている。仮想線で示された蓋部１２は、それが開いた状態にあるときのもので、後方周縁部３６ｂは容器部１１の後方周壁部１６ｃに重なっている。
【手続補正５】
【補正対象書類名】明細書
【補正対象項目名】００２３
【補正方法】変更
【補正の内容】
【００２３】
図４は、図１のＩＶ−ＩＶ線断面図であって、矢印Ｅで示す時計方向に向かって旋回した状態にある蓋部１２が仮想線で示されている。ＩＶ−ＩＶ線は、収納容器１０の底蓋１３における横方向Ｂの寸法を二等分する位置にある。図の右方において、蓋部１２は、それに形成された旋回軸３６（図６，７参照）が嵌合凹部１５に形成された軸受部１２４（図７参照）に回動可能に進入していて、時計方向Ｅと反時計方向とに往復旋回運動することによって、ティッシュペーパ９を取り出すための取出口２１を開閉することができる。旋回軸１３０と軸受部１２４とは、収納容器１０のヒンジ部を形成している。収納容器１０では、嵌合凹部１５における下方部位１９と蓋部１２との間に、ばね部材４０が蓄勢状態で介在していて、蓋部１２をそれが開く方向へ、すなわち時計方向Ｅへ付勢している。図示例のばね部材４０は、合成ゴムや天然ゴムで形成された弾性帯片であって、この弾性帯片が適宜回数だけ折り重ねられるとともに、弾性帯片の長さ方向における一方の端部４１が嵌合凹部１５における下方部位１９に対して固定され、もう一方の端部４２が蓋部１２に対して固定されることによって、ばね部材４０が蓄勢状態にある。ばね部材４０は、図示例のものに代えて、コイルスプリング等の慣用のばね材料に替えることができる。
【手続補正６】
【補正対象書類名】明細書
【補正対象項目名】００３３
【補正方法】変更
【補正の内容】
【００３３】
図６，７は、図４の部分ＶＩを拡大して示す図と図６のＶＩＩ−ＶＩＩ線矢視図である。図６において、蓋部１２は、取出口２１（図２，３参照）を覆う被覆部１２ａと、被覆部１２ａから延びるＬ字型のアーム１２０とを有する。アーム１２０は、被覆部１２ａから下方に向かって延びる垂下部１２１と、垂下部１２１の下端部分から後方に向かって容器部１１における後方周壁部１６ｃの内側にまで延びる連結部１２２とを有する。そのように延びた連結部１２２の先端部分からは、横方向Ｂの両側それぞれに旋回軸１３０が水平に延出している（図７を併せて参照）。旋回軸１３０は、被覆部１２ａの後方部分において横方向Ｂへ延びる後方周縁部３６ｂの下方に位置している。後方周縁部３６ｂと、容器部１１における嵌合凹部１５の内側輪郭線１５ａとの間には、上下方向において寸法Ｆを有する間隙１０１が形成されている。
【手続補正７】
【補正対象書類名】明細書
【補正対象項目名】００３７
【補正方法】変更
【補正の内容】
【００３７】
蓋部１２は、ばね部材４０によって付勢されているのであるが、容器部１１において軸受部１２４が形成されている壁面部１２３どうしは、それらの間の寸法が、容器部１１の前方から後方に向かって次第に小さくなるように、すなわち寸法Ｗ２が寸法Ｗ１よりも小さくなるように勾配が付けられている。アーム１２０の寸法Ｗ０は、寸法Ｗ２よりも大きいから、蓋部１２が開くときには、アーム１２０と壁面部１２３とが摺動するように係合して、付勢されている蓋部１２が開くときの速度が抑制され、次第に遅くなる。例えば、付勢されている蓋部１２が勢いよく開き始めても、それが開き終わるときには速度が遅くなって、容器部１１を振動させることがないというものになる。
【手続補正８】
【補正対象書類名】明細書
【補正対象項目名】００３８
【補正方法】変更
【補正の内容】
【００３８】
ただし、容器１０において、アーム１２０と壁面部１２３との係合は、図示例の係合に限られるわけではない。例えば、アーム１２０および壁面部１２３のうちの一方に横方向Ｂへの突起部を形成し、もう一方にはその突起部が嵌合可能な凹部を形成しておいて、蓋部１２が開き終わるときには突起部が凹部の周辺を摺動してから凹部に嵌合するようにして、アーム１２０と壁面部１２３との係合を実現させてもよい。
【手続補正９】
【補正対象書類名】図面
【補正対象項目名】図４
【補正方法】変更
【補正の内容】
【図４】
2016216099.tif 000001